(57)【要約】【課題】冷蔵庫の庫内冷気の流出抑制による節電効果と併せて、優れた消臭効果が得られる冷蔵庫用カーテンを提供する。【解決手段】ポリエチレンを原料にした樹脂フィルムにリン酸ジルコニウムの微粉末を練り込み、その材料樹脂フィルムの一辺に沿ってそのフィルムの裏面に冷蔵庫の庫内の開口縁に貼着する離型紙に覆われた粘着層を設けてこれを冷蔵庫用カーテンとなした。【選択図】  図１
2005069523.tif 000002
【特許請求の範囲】
【請求項１】
冷蔵庫の庫内の開口部に取り付けて庫内の冷気の流出を抑制する樹脂フィルム製のカーテンであって、前記樹脂フィルムにリン酸ジルコニウムの微粉末が練りこまれ、さらに、その樹脂フィルムの一辺に沿ってそのフィルムの裏面に冷蔵庫の庫内の開口縁に貼着する離型紙に覆われた粘着層が設けられていることを特徴とする冷蔵庫用カーテン。
【請求項２】
ポリエチレンにリン酸ジルコニウムの微粉末を５容量％以下練りこんだフィルムで構成されている請求項１に記載の冷蔵庫用カーテン。
【請求項３】
前記樹脂フィルムに一定ピッチで縦ラインと横ラインを印刷してある請求項１又は２に記載の冷蔵庫用カーテン。
【発明の詳細な説明】
【技術分野】
【０００１】
この発明は、冷蔵庫の庫内の開口部に取り付ける冷蔵庫用カーテンに関する。
【背景技術】
【０００２】
冷蔵庫の庫内の開口部に取り付けて使用する冷蔵庫用カーテンは、冷蔵庫の扉を開けたときに庫内冷気が外部に流出する量を減らすのに有効なものであり、樹脂フイルムで形成されたものが市販されている。
【発明の開示】
【発明が解決しようとする課題】
【０００３】
既存の冷蔵庫用カーテンは、冷気の流出抑制による節電効果のみを目的としており、その他の機能・効果は期待できない。
【０００４】
冷蔵庫には種々の食品が保管され、その中には臭気を発するものもある。魚や肉の腐敗臭であるアンモニア、卵の腐敗臭である硫化水素、玉葱の腐敗臭であるトリメチルアミンなどは特に敬遠されるものであり、これ等の臭気が庫内の他の食品に移るのは好ましくない。
【０００５】
そのため、活性炭などから成る脱臭剤が使用されているが、市販の脱臭剤はある程度場所をとるものが多く、庫内の収納スペースを減少させる。また、市販の脱臭剤は臭気を吸収する働きをするが、臭気成分を分解する機能（消臭機能）はなく、きつい臭いに対しては十分に対応しきれない場合があり、経時的な脱臭機能の低下も起こる。
【０００６】
上述した冷蔵庫用カーテンが消臭機能を併せ備えていると、脱臭剤の使用をやめたり、使用量を減らしたりすることができ、脱臭剤で完全に吸収できなかった臭いを消すこともできる。
【０００７】
そこで、この発明は、その要求に応えた消臭機能を併せ持つ冷蔵庫用カーテンを提供することを課題としている。
【課題を解決するための手段】
【０００８】
上記の課題を解決するため、この発明においては、基材となる樹脂フィルムにリン酸ジルコニウムの微粉末が練りこまれ、さらに、その樹脂フィルムの一辺に沿ってそのフィルムの裏面に冷蔵庫の庫内の開口縁に貼着する離型紙に覆われた粘着層が設けられている冷蔵庫用カーテンを提供する。
【０００９】
この冷蔵庫用カーテンは、ポリエチレンにリン酸ジルコニウムの微粉末を５容量％以下練りこんだフィルムで構成されているものが好ましい。
【００１０】
また、樹脂フィルムに一定ピッチで縦ラインと横ラインを印刷しておくのも好ましい。
【発明の効果】
【００１１】
この発明の冷蔵庫用カーテンは、リン酸ジルコニウムの微粉末を練り込んだ樹脂フィルムで形成したので、冷気の流出抑制による節電効果と併せて優れた消臭効果が得られ、庫内の衛生管理の面で有利になる。
【００１２】
基材に練り込んだリン酸ジルコニウムは、アンモニア、硫化水素、トリメチルアミン、ビリジンなどを分解する機能を持ち、長期使用による消臭機能の低下も起こらない。従って、脱臭剤で不可避の定期的交換が不要である。
【００１３】
なお、カーテンの基材になるフィルムの物性を考えると、そのフィルムに練り混むリン酸ジルコニウムの微粉末は、平均粒径が０．９μｍ以下であるのが好ましく、このリン酸ジルコニウムの微粉末の添加量の上限も５容量％程度にするのがよい。５容量％以下の添加量でも、優れた消臭機能が得られる。
【００１４】
ベースになる樹脂は、ポリエチレンが低温に強くて好ましい。
【００１５】
このほか、樹脂フィルムに一定ピッチで縦ラインと横ラインを印刷したものは、その縦ラインと横ラインをガイドラインにしてカーテンを冷蔵庫の開口サイズに合う寸法に裁断したり、カーテンの横方向のつながりを途中で寸断する縦の切込みをカーテンの下縁に入れたりすることができる。
【発明を実施するための最良の形態】
【００１６】
以下、この発明の冷蔵庫用カーテンの実施形態を、図１乃至図３に基づいて説明する。
【００１７】
図１及び図２に示す冷蔵庫用カーテン１は、原料のポリエチレンにリン酸ジルコニウムの微粉末を５容量％添加して均一分散するように練り込み、これをフィルム化した材料で形成されている。材料の樹脂フィルムはその厚みを０．０８ｍｍにしたが、フィルムの厚みは特に限定されず、もっと厚くしてもよい。
【００１８】
ベースになる樹脂としてポリエチレンを使用しているので、−３０°Ｃの耐冷温度を有する。
【００１９】
この冷蔵庫用カーテン１は、リン酸ジルコニウムを練り込んだ樹脂フィルムの一辺に沿ってそのフィルムの一面に粘着層２を設け、その粘着層２を離型紙３で覆った構造にしている。
【００２０】
また、樹脂フィルムの一面に縦ライン４と横ライン５を一定ピッチで印刷している。
【００２１】
材料の樹脂フィルムは、透明フィルムが庫内の収納物を外部から確認できて好ましい。原料樹脂に添加するリン酸ジルコニウムは白色の粉末であるが５容量％程度の添加であれば、フィルムの透明性を確保できる。なお、必要に応じて顔料を添加し、フィルムを着色することは自由である。
【００２２】
リン酸ジルコニウムは、東亞合成（株）製「ケスモン（商品名）」、平均粒径０．９μｍを使用している。このリン酸ジルコニウムの微粉末「ケスモン」は、アンモニア、ビリジン、トリメチルアミンなどに対する消臭の即効性に優れ、低濃度域の悪臭でも確実に消臭することが実証されている。また、これを樹脂に練り込んでいるため飛散して人が吸入する事態が起こらず、安全性に関しても問題がない。
【００２３】
この冷蔵庫用カーテン１は、庫内の開口サイズよりも大きければ、開口サイズに合わせて余縁を裁断し、さらに、収納物を出入れし易くするために、図１に示すように下縁から縦の切込み６を適当な間隔で何本か入れ、その後、離型紙３を剥がし、図３に示すように、一辺を冷蔵庫の開口の上縁部に貼着して使用する。このカーテンを使用すると、節電効果と共に悪臭を分解する消臭効果が得られ、他の食品への臭いの移りが少なくなる。
【００２４】
なお、この発明のカーテンは庫内敷物としても使用することができ、その場合にも消臭効果が発揮される。
【図面の簡単な説明】
【００２５】
【図１】この発明のカーテンの実施形態を示す平面図
【図２】同上のカーテンの拡大側面図
【図３】この発明のカーテンの使用状態を示す斜視図
【符号の説明】
【００２６】
１    冷蔵庫用カーテン
２    粘着層
３    離型紙
４    縦ライン
５    横ライン
６    切込み
【図１】
2005069523.tif 000003
【図２】
2005069523.tif 000004
【図３】
2005069523.tif 000005